(57)【要約】【課題】ノズルを印刷用紙の幅方向に多数配設してノズルラインを構成し、これを印字走査方向に２列設けたラインヘッド型プリンタのバンディング現象を効果的に低減する。【解決手段】同一位置に同一色のインクドットを２つのノズルから出力可能とし、夫々のノズルから出力されたインクドットの理想着弾位置からの位置ズレ量を記憶し、夫々のインクドットの位置ズレ量の比の逆比を重みとして、注目画素の要求濃度値の重み付け平均値を夫々のノズルへの要求濃度値、即ちインクドット出力指令値として、同一位置に２つのノズルからのインクドットを重ね打ちする。また、重ね打ちする場合、一方のノズルからだけインクドットを出力する場合、他方のノズルからだけインクドットを出力する場合の三者を乱数的に選択することにより、所定の範囲の視覚特性を保持しながら、バンディング現象を効果的に低減する。【選択図】図６
2006168241.tif 000002
【特許請求の範囲】
【請求項１】
予め設定された色のインクを出力するノズルを印字走査方向と交差する方向に直線状に複数配設してノズルラインを構成し、このノズルラインを走査方向に互いに重合するように複数配設し、各ノズルラインのノズルで同一の色のインクドットを同一の位置に出力できるようにしたインクジェットプリンタの印刷用画像処理装置であって、印刷対象となる画像情報の一画素の一つの色成分を所定の階調で表現するために、印字走査方向上の二以上のノズルで同一の位置に同一の色のインクドットを出力する重ね打ち制御手段を備えたことを特徴とする印刷用画像処理装置。
【請求項２】
前記重ね打ち制御手段は、前記印刷対象となる画像情報の一画素の一つの色成分の階調が維持されるように、前記印字走査方向上の二以上のノズルから出力するインクドットの大きさ又はその大きさに応じた濃度相当のインクドット出力指令値を設定するインクドット出力指令値設定手段を備えたことを特徴とする請求項１に記載の印刷用画像処理装置。
【請求項３】
前記同一の位置に同一の色のインクドットを出力する二以上のノズルのインク出力特性を記憶するインク出力特性記憶手段を備え、前記インクドット出力指令値設定手段は、前記インク出力特性記憶手段で記憶されているインク出力特性に基づいて前記インクドット出力指令値を設定することを特徴とする請求項２に記載の印刷用画像処理装置。
【請求項４】
前記インク出力特性記憶手段は、前記二以上のノズルから同一の位置に出力される同一の色のインクドットの所定位置からの位置ずれ量をインク出力特性として記憶し、前記インクドット出力指令値設定手段は、前記インクドットの所定位置からの位置ずれ量に基づいて前記インクドット出力指令値を設定することを特徴とする請求項３に記載の印刷用画像処理装置。
【請求項５】
前記重ね打ち制御手段は、印刷対象となる画像情報の一画素の一つの色成分の階調に応じて一つのノズルで該当する色のインクドットを出力する非重ね打ち制御手段を備えたことを特徴とする請求項１乃至４の何れか一項に記載の印刷用画像処理装置。
【請求項６】
前記重ね打ち制御手段は、非重ね打ち制御手段によるインクドットの出力形態と、印字走査方向上の二以上のノズルで同一の位置に同一の色のインクドットを出力する出力形態とを交互に又は順番に又は乱数的に選択することを特徴とする請求項５に記載の印刷用画像処理装置。
【発明の詳細な説明】
【技術分野】
【０００１】
本発明は、複数色の液体インクの微粒子を印刷用紙（記録材）上に吐出出力して所定の文字や画像を描画するようにしたインクジェットプリンタ用の画像処理装置に関し、特に予め設定された色のインクを吐出出力するノズルを印字走査方向と直交方向に直線状に複数配設するラインヘッド型のインクジェットプリンタ用の画像処理装置に好適なものである。
【背景技術】
【０００２】
このようなインクジェットプリンタは、一般に安価で且つ高品質のカラー印刷物が容易に得られることから、パーソナルコンピュータやデジタルカメラなどの普及に伴い、オフィスのみならず一般ユーザにも広く普及してきている。
このようなインクジェットプリンタは、一般に、インクカートリッジと印字ヘッドとが一体的に備えられたキャリッジなどと称される移動体が印刷媒体（用紙）上をその紙送り方向の左右に往復しながらその印字ヘッドのノズルから液体インクの粒子をドット状に吐出（噴射）出力することで、印刷用紙上に所定の文字や画像を描画して所望の印刷物を作成するようになっている。そして、このキャリッジに黒色（ブラック）を含めた４色（イエロー、マゼンタ、シアン）のインクカートリッジと各色毎の印字ヘッドを備えることで、モノクロ印刷のみならず、各色を組み合わせたフルカラー印刷も容易に行えるようになっている（更に、これらの各色に、ライトシアンやライトマゼンタなどを加えた６色や７色、或いは８色のものも実用化されている）。
【０００３】
また、このようにキャリッジ上の印字ヘッドを紙送り方向の左右（印刷用紙の幅方向）に往復させながら印刷を実行するようにしたタイプのインクジェットプリンタでは、１頁全体をきれいに印刷するために印字ヘッドを数十回から１００回以上も往復動させる必要があるため、他の方式の印刷装置、例えば複写機などのような電子写真技術を用いたレーザプリンタなどに比べて大幅に印刷時間がかかるといった欠点がある。
【０００４】
これに対し、印刷用紙の幅と同じ寸法の長尺の印字ヘッドを配置してキャリッジを使用しないタイプのインクジェットプリンタでは、印字ヘッドを印刷用紙の幅方向に移動させる必要がなく、所謂１パスでの印刷が可能となるため、前記レーザプリンタと同様な高速な印刷が可能となる。なお、前者方式のインクジェットプリンタを一般に「マルチパス型プリンタ」、後者方式のインクジェットプリンタを一般に「ラインヘッド型プリンタ」と呼んでいる。
【０００５】
ところで、このようなインクジェットプリンタに不可欠な印字ヘッドは、直径が１０〜７０μｍ程度の微細なノズルを一定の間隔で直列、又は印刷方向に多段に配設してなるものであるため、製造誤差によって一部のノズルのインクの吐出方向が傾いてしまったり、ノズルの位置が理想位置と外れた位置に配置されたりしてしまい、そのノズルで形成されるドットが目標点よりもずれてしまうといった、所謂「飛行曲がり現象」を発生してしまうことがある。
【０００６】
この結果、その不良ノズル部分に相当する印刷部分に、所謂「バンディング（スジ）現象」と称される印刷不良が発生して、印刷品質を著しく低下させてしまうことがある。即ち、「飛行曲がり現象」が発生すると隣接ドット間の距離が不均一となり、隣接ドット間の距離が長い部分には「白スジ（印刷用紙が白紙の場合）」が発生し、隣接ドット間の距離が短い部分には「濃いスジ」が発生する。このように「スジ」が見えることを「バンディング現象」という。
特に、このようなバンディング現象は、前述したような「マルチパス型プリンタ」の場合よりも、印字ヘッドが固定（１パス印刷）で、且つノズルの数がマルチパス型プリンタよりも格段に多い「ラインヘッド型プリンタ」の方に顕著に発生し易い（マルチパス型プリンタでは、印字ヘッドを何回も往復させることを利用して白スジを目立たなくする技術がある）。
【０００７】
そこで、以下に示す特許文献１では、複数のノズルが直線状に配設されたヘッドチップを千鳥状に配設し且つ隣接するヘッドチップ間にオーバラップ部を形成し、このオーバラップ部では、何れのヘッドチップのノズルでインクドットを出力するかを乱数的に選択し、これによりヘッドチップ間の継ぎ目に発生するバンディング現象を低減するようにしている。
【特許文献１】特開２００４−５０４４５号公報
【発明の開示】
【発明が解決しようとする課題】
【０００８】
しかしながら、前記特許文献１に記載される印刷装置では、ヘッドチップ間の継ぎ目に発生するバンディング現象が低減されるものの、オーバラップ部でインクドットを出力するヘッドチップのノズルを乱数的に選択しているため、同じヘッドチップのノズルでインクドットを出力する部分が続くとバンディング現象が発生してしまう。
本発明は、上記のような問題点に着目してなされたものであり、印字走査方向上の二以上のノズルで同一の位置に同一の色のインクドットを出力可能なインクジェットプリンタでバンディング現象を効果的に低減可能な印刷用画像処理装置を提供することを目的とするものである。
【課題を解決するための手段】
【０００９】
［発明１］上記課題を解決するために、発明１の印刷用画像処理装置は、予め設定された色のインクを出力するノズルを印字走査方向と交差する方向に直線状に複数配設してノズルラインを構成し、このノズルラインを走査方向に互いに重合するように複数配設し、各ノズルラインのノズルで同一の色のインクドットを同一の位置に出力できるようにしたインクジェットプリンタの印刷用画像処理装置であって、印刷対象となる画像情報の一画素の一つの色成分を所定の階調で表現するために、印字走査方向上の二以上のノズルで同一の位置に同一の色のインクドットを出力する重ね打ち制御手段を備えたことを特徴とするものである。
【００１０】
この発明に言うインクドットとは、ノズルから吐出出力する液体インクの微粒子を意味し、インクドットが大きくなると、複数のドットで構成される或る範囲の濃度は濃く（数値では大きく）なり、インクドットが小さくなると濃度は薄く（数値では小さく）なる。また、印刷対象となる画像情報の一画素の一つの色成分を所定の階調で表現するために、該当する色のインクドットに変換する処理は２値化処理（Ｎ値化処理ともいう）と呼ばれる。２（Ｎ）値化処理は、後の実施の形態で詳述するが、多値（例えば８ビット、２５６階調）の画像データを或る閾値に基づいて、各画素毎に２（Ｎ）種類に分類する処理であり、インクドットを打つ、打たないといった、所謂「２値化」の他に、各画素の階調度の大きさに応じてインクドットの大きさを数段階に変化させることを含む概念である。換言すれば、インクドットの有無だけでは表現できない、所謂中間階調を表現するための処理を含む処理である。
【００１１】
この発明１の印刷用画像処理装置によれば、印刷対象となる画像情報の一画素の一つの色成分を所定の階調で表現するために、印字走査方向上の二以上のノズルで同一の位置に同一の色のインクドットを出力する構成としたため、各ノズルのインクドット形成位置のずれを互いに補ってバンディング現象を効果的に低減することができる。
ここでいう「バンディング現象」とは、「飛行曲がり現象」などによって「白スジ」や「濃いスジ」が発生する現象をいう。「飛行曲がり現象」とは、単なる一部のノズルの不吐出現象とは異なり、インクは吐出するものの、その一部のノズルの吐出方向が傾くなどしてドットが目標位置よりずれて形成されてしまう現象をいう。また、「白スジ」とは、「飛行曲がり現象」などによって隣接ドット間の距離が所定の距離よりも広くなる現象が連続的に発生して印刷媒体の下地の色がスジ状に目立ってしまう部分（領域）をいい、また、「濃いスジ」とは、同じく「飛行曲がり現象」などによって隣接ドット間の距離が所定の距離よりも狭くなる現象が連続的に発生して印刷媒体の下地の色が見えなくなったり、或いはドット間の距離が短くなることによって相対的に濃く見えたり、更にはずれて形成されたドットの一部が正常なドットと重なり合ってその重なり合った部分が濃いスジ状に目立ってしまう部分（領域）をいう。
【００１２】
［発明２］発明２の印刷用画像処理装置は、前記発明１の印刷用画像処理装置において、前記重ね打ち制御手段は、前記印刷対象となる画像情報の一画素の一つの色成分の階調が維持されるように、前記印字走査方向上の二以上のノズルから出力するインクドットの大きさ又はその大きさに応じた濃度相当のインクドット出力指令値を設定するインクドット出力指令値設定手段を備えたことを特徴とするものである。
【００１３】
この発明２の印刷用画像処理装置によれば、印刷対象となる画像情報の一画素の一つの色成分の階調が維持されるように、印字走査方向上の二以上のノズルから出力するインクドットの大きさ又はその大きさに応じた濃度相当のインクドット出力指令値を設定する構成としたため、所定範囲の画像データの視覚特性が保持され、印刷された画像情報と入力された画像情報とを整合することができる。
【００１４】
［発明３］発明３の印刷用画像処理装置は、前記発明２の印刷用画像処理装置において、前記同一の位置に同一の色のインクドットを出力する二以上のノズルのインク出力特性を記憶するインク出力特性記憶手段を備え、前記インクドット出力指令値設定手段は、前記インク出力特性記憶手段で記憶されているインク出力特性に基づいて前記インクドット出力指令値を設定することを特徴とするものである。
【００１５】
この発明３の印刷用画像処理装置によれば、同一の位置に同一の色のインクドットを出力する二以上のノズルのインク出力特性を記憶し、その記憶されているインク出力特性に基づいて各ノズルへのインクドット出力指令値を設定する構成としたため、各ノズルのインク出力特性を夫々のノズルへのインクドット出力指令値に適正に反映することができ、これにより所定範囲の画像データの視覚特性を保持しながら、バンディング現象を効果的に低減することができる。
【００１６】
［発明４］発明４の印刷用画像処理装置は、前記発明３の印刷用画像処理装置において、前記インク出力特性記憶手段は、前記二以上のノズルから同一の位置に出力される同一の色のインクドットの所定位置からの位置ずれ量をインク出力特性として記憶し、前記インクドット出力指令値設定手段は、前記インクドットの所定位置からの位置ずれ量に基づいて前記インクドット出力指令値を設定することを特徴とするものである。
【００１７】
この発明４の印刷用画像処理装置によれば、二以上のノズルから同一の位置に出力される同一の色のインクドットの所定位置からの位置ずれ量をインク出力特性として記憶し、その記憶されている各ノズルのインクドットの所定位置からの位置ずれ量に基づいて各ノズルへのインクドット出力指令値を設定する構成としたため、各ノズルのインクドットの所定位置からの位置ずれ量を夫々のノズルへのインクドット出力指令値に適正に反映することができ、これにより所定範囲の画像データの視覚特性を保持しながら、バンディング現象を効果的に低減することができる。
【００１８】
［発明５］発明５の印刷用画像処理装置は、前記発明１乃至４の何れかの印刷用画像処理装置において、前記重ね打ち制御手段は、印刷対象となる画像情報の一画素の一つの色成分の階調に応じて一つのノズルで該当する色のインクドットを出力する非重ね打ち制御手段を備えたことを特徴とするものである。
この発明５の印刷用画像処理装置によれば、印刷対象となる画像情報の一画素の一つの色成分の階調に応じて一つのノズルで該当する色のインクドットを出力する構成としたため、印刷対象となる画像情報の一画素の一つの色成分に該当するインクドットを一つのノズルで出力したり、二以上のノズルで出力したりすることにより、夫々のインク出力特性に応じたインクドットをばらつかせ、これにより所定範囲の画像データの視覚特性を保持しながら、バンディング現象を効果的に低減することができる。
【００１９】
［発明６］発明６の印刷用画像処理装置は、前記発明５の印刷用画像処理装置において、前記重ね打ち制御手段は、非重ね打ち制御手段によるインクドットの出力形態と、印字走査方向上の二以上のノズルで同一の位置に同一の色のインクドットを出力する出力形態とを交互に又は順番に又は乱数的に選択することを特徴とするものである。
この発明６の印刷用画像処理装置によれば、印刷対象となる画像情報の一画素の一つの色成分に該当するインクドットを一つのノズルで出力する形態と、二以上のノズルで出力する形態とを交互に又は順番に又は乱数的に選択する構成としたため、夫々のインク出力特性に応じたインクドットを効果的にばらつかせ、これにより所定範囲の画像データの視覚特性を保持しながら、バンディング現象を効果的に低減することができる。
【発明を実施するための最良の形態】
【００２０】
次に、本発明の印刷用画像処理装置の一実施形態について図面を参照しながら説明する。
図１は、本実施形態の印刷用画像処理装置を適用したインクジェットプリンタとそれを駆動するためのホストコンピュータを表している。ホストコンピュータ６は、パーソナルコンピュータを始めとして各種のコンピュータが適用可能である。本実施形態のインクジェットプリンタは、前述したラインヘッド型プリンタ１であり、例えば図２に示すように、予め設定された色のインクを出力するノズル５を印字走査方向と交差する方向に直線状に複数配設してノズルラインを構成し、このノズルラインを印字走査方向に２列ずつ（複数）互いに重合するように配設してラインヘッド（図１ではヘッドユニット）２が構成されている。本実施形態のラインヘッド型プリンタ１は、ヘッドユニット２によるインク出力状態を制御するプリンタ制御部３及びヘッドユニット２の各ノズル５の出力特性を記憶するノズル出力特性記憶部（ノズル出力特性記憶手段）４を備えている。このうち、プリンタ制御部３はマイクロコンピュータなどの演算処理装置で構成され、ノズル出力特性記憶部４はＲＯＭ、ＲＡＭなどの記憶装置で構成されている。つまり、これらの制御装置や記憶装置も、コンピュータシステムで構築されている。
【００２１】
図２は、前述したラインヘッド型のヘッドユニット２であり、前述したシアン（Ｃ）、マゼンタ（Ｍ）、イエロー（Ｙ）、ブラック（Ｋ）の各色毎に、ノズルラインを印字走査方向に二列ずつ備えている。実際のノズルラインは、印刷用紙上を１パスで印刷するので、図示するよりも遙かにノズル数が多く、長さ（幅）も大きい。そして、各色の２つのノズルラインのノズル５で同一の色のインクを同一の位置に出力できるようにした。なお、以後、１つの色に対して２列に配設されたノズルラインのうち、図３に示すように、印字走査方向手前側のノズルラインの列をＡ列、印字走査方向先方側のノズルラインの列をＢ列と定義し、更に図示左方から右方に向けてノズル番号を０，１，２…の順に附すものとする。また、本実施形態では、１つのノズルで、印刷対象となる画像情報の１画素の１つの色成分を所定の階調（この場合は全階調）で表現することができる。換言すれば、印刷対象となる画像情報の１画素の１つの色成分を所定の階調（この場合は全階調）で表現するために必要な最小限のノズル数は１つということになる。なお、本実施形態では、後述する２値化処理によって、印刷対象となる画像情報の１画素の１つの色成分に対して濃度表示で１２０％、８０％、４０％（、０％）に対応するドットサイズＬ、Ｍ、Ｓの３種類（ドットなしを含めて４種類）のドットサイズが設定されるので、各ノズルでは、夫々のドットサイズのインクドットを出力することができるように設定されている。
【００２２】
図４は、前記プリンタ制御部で行われる演算処理の機能ブロック図である。このプリンタ制御部では、ステップＳ１でＲＧＢ画像データを読み込む。このＲＧＢ画像データは、例えば１画素あたりの各色（Ｒ、Ｇ、Ｂ）毎の階調（輝度値）が８ビット（０〜２５５）で表現される多値の画像データとしてホストコンピュータから読み込まれる。次のステップＳ２では、前記ステップＳ１で読み込まれたＲＧＢ画像データを前述した４色のＣＭＹＫ色に変換してＣＭＹＫ画像データを得る。
【００２３】
次のステップＳ３では、前記ＣＭＹＫ画像データを構成する各画素の２値化処理を行う。この２値化処理とは、例えば画像データを構成する任意の１画素に注目し、その注目画素に対してインクドットを打つ、つまりノズルから液体インクを吐出出力するか否かの所謂「２値化処理」を実行すると共に、単にインクドットの有無だけでは表現できない中間階調の表現処理、本実施形態では、前記「２値化処理」によって発生した画素の誤差について通常のデータ変換と同様に所定の誤差拡散マトリックスに基づいた誤差拡散処理を実行する。この誤差拡散処理とは、多値のデータを或る閾値を境に２値化処理する際に、その閾値との差を捨ててしまうのではなく、誤差としてこれから処理する複数の画素に拡散させて活用するようにしたものである。例えば、処理対象となる注目画素が８ビット（２５６階調）で表現可能で且つその階調が「１０１」であった場合、通常の２値化処理では、その階調は閾値（中間値）である「１２７」に満たないため、「０」即ちドットを形成しない画素として処理されてしまい、「１０１」は、そのまま捨てられてしまう。
【００２４】
これに対し、誤差拡散処理の場合は、その「１０１」が所定の誤差拡散マトリックスに従ってその周囲の未処理の画素に対して拡散されることになるため、例えば、注目画素の右隣の画素が通常の２値化処理のみでは注目画素と同じく閾値に満たないことから「ドットを形成しない」として処理されてしまっていたのが、注目画素の誤差を受け取ることによってその画素値が閾値を超えて「ドットを形成する」というような取り扱いを受けることになり、より元の画像データに近い２値化データを得ることが可能となる。そして、このようにして注目画素についての誤差拡散処理が終了したならば、その２値化処理の結果、その注目画素の位置にドットが形成されるか否かを判定する。この２値化処理によって、本実施形態では、各画素の各色毎に、濃度表示で１２０％、８０％、４０％（、０％）に対応するドットサイズＬ、Ｍ、Ｓの３種類（ドットなしを含めて４種類）のドットサイズが設定される。なお、中間階調の表現方法には、この他に「ディザマトリックス法」などがある。
【００２５】
次のステップＳ４では、後述するようにして前記ノズル出力特性記憶部に記憶されているノズル出力特性を読み出す。次のステップＳ５では、後述するようにして、前記ステップＳ４で読み出されたノズル出力特性に基づいて各ノズルへのインクドット出力指令値を設定する。このステップＳ５及び前記ステップ４が、前記プリンタ制御部３内に構築される重ね打ち制御部（重ね打ち制御手段）を構成している。そして、次のステップＳ６では、前記ステップＳ５で設定されたインクドット出力指令値に基づいて、ヘッドユニットへ信号出力を行う。
【００２６】
次に、本実施形態でのノズル出力特性の内容と、その記憶方法について説明する。本実施形態では、印字走査方向上の２つのノズルで、少なくとも設定上は、同一位置に同一色のインクドットを出力できるようになっている。そこで、図５に示すように、それらのノズルをペアとし、ノズルペア番号毎に、Ａ列ノズルのインクドットの位置ズレ量及びＢ列ノズルのインクドットの位置ズレ量を記憶する。このインクドットの位置ずれ量は、例えば図７ａに示す位置をインクドットの理想形成位置（理想着弾位置ともいう）としたとき、図７ｂに示すように実際のインクドットの理想形成位置からのズレ量を位置ズレ量ＳA、ＳBとして記憶する。サフィックスＡ、Ｂはノズル列のＡ列、Ｂ列を示す。
【００２７】
次に、図６のインクドット出力指令値設定のための演算処理について説明する。なお、演算処理中の符号ｘ，ｙは、図４のステップＳ３で２値化された印刷用画像データの各画素の座標であり、例えば左上を０として、右方向にｘ座標を、下方向にｙ座標を設定する。注目画素は左上から右方向に順に移行し、画像データの右端に到達したら下のライン（行）の左端の画素に移行する、といったように繰り返す。また、この演算処理は、前述したＣＭＹＫの各色毎に行われる。
【００２８】
この演算処理では、まずステップＳ１１で、記憶されている注目画素座標［ｘ，ｙ］を共に０に初期化する。次にステップＳ１２に移行して、次の注目画素座標［ｘ，ｙ］の濃度（要求濃度値）Ｐ［ｘ，ｙ］を入力する。次にステップＳ１３に移行して、ステップＳ１２で入力した要求濃度値Ｐ［ｘ，ｙ］が重ね打ちに分割可能か否かを判定し、当該要求濃度値Ｐ［ｘ，ｙ］が重ね打ちに分割可能である場合にはステップＳ１４に移行し、そうでない場合にはステップＳ１５に移行する。要求濃度値Ｐ［ｘ，ｙ］が重ね打ちに分割可能か否かとは、つまり同一位置に２つのノズルから同一色のインクドットを出力して要求濃度値Ｐ［ｘ，ｙ］に相当するドットサイズを達成することができるか否かという意味である。例えば、要求濃度値Ｐ［ｘ，ｙ］がドットサイズＬに相当する１２０％であるときには、濃度値８０％のドットサイズＭのインクドットと濃度値４０％のドットサイズＳのインクドットとを同一位置に、乾燥する前に出力すれば、結果としてドットサイズＬに相当する濃度値１２０％を得ることができる。同様に、要求濃度値Ｐ［ｘ，ｙ］がドットサイズＭに相当する８０％であるときには、濃度値４０％のドットサイズＳのインクドットを同一位置に２回、乾燥する前に出力すれば、結果としてドットサイズＭに相当する濃度値８０％を得ることができる。一方、要求濃度値Ｐ［ｘ，ｙ］がドットサイズＳに相当する４０％であるときには、本実施形態では、各ノズルから出力可能な２つのインクドットに分割することができないので、重ね打ちできないことになる。
【００２９】
ステップＳ１４では、ステップＳ１３の判定で重ね打ち分割可能と判定されたものについて、要求濃度値Ｐ［ｘ，ｙ］の重ね打ち分割を乱数的に選択し、要求濃度値Ｐ［ｘ，ｙ］を重ね打ち分割する場合にはステップＳ１６に移行し、そうでない場合にはステップＳ１５に移行する。ステップＳ１６では、下記１式に従って、分割したＡ列ノズルの要求濃度値ＰA［ｘ，ｙ］を算出してからステップＳ１７に移行する。なお、算出されたＡ列ノズルの要求濃度値ＰA［ｘ，ｙ］については、四捨五入などによって、出力可能値、つまりドットサイズＳ又はドットサイズＭに相当する濃度値４０％又は８０％にクリッピングする（まとめる）。
【００３０】
ＰA［ｘ，ｙ］＝Ｐ［ｘ，ｙ］×ＳB／（ＳA＋ＳB）                    ……… (1)
ステップＳ１７では、下記２式に従って、分割したＢ列ノズルの要求濃度値ＰB［ｘ，ｙ］を算出してからステップＳ１８に移行する。なお、算出されたＢ列ノズルの要求濃度値ＰB［ｘ，ｙ］については、四捨五入などによって、出力可能値、つまりドットサイズＳ又はドットサイズＭに相当する濃度値４０％又は８０％にクリッピングする（まとめる）。
【００３１】
ＰB［ｘ，ｙ］＝Ｐ［ｘ，ｙ］×ＳA／（ＳA＋ＳB）                    ……… (2)
一方、ステップＳ１５では、注目画素座標［ｘ，ｙ］の要求濃度値Ｐ［ｘ，ｙ］をＡ列又はＢ列のノズルに乱数的に割り当ててからステップＳ１８に移行する。ステップＳ１８では、全ての画素についてインクドット出力指令値の設定処理を行ったか否かを判定し、全ての画素を処理した場合には図４の演算処理のステップＳ６に移行し、そうでない場合にはステップＳ１２に移行する。
【００３２】
この演算処理によって形成される重ね打ちインクドットの一例を図７ｃに示す。この重ね打ちインクドットは、図７ｂのＡ列ノズルのインクドット位置ズレ量ＳA及びＢ列ノズルのインクドット位置ズレ量ＳBに基づいて設定されたものである。前記１式で設定されるＡ列ノズルの要求濃度値ＰA［ｘ，ｙ］及び２式で設定されるＢ列ノズルの要求濃度値ＰB［ｘ，ｙ］は、夫々、位置ズレ量の比の逆比を重みとする重み付け平均値であるから、位置ズレ量が大きいほど要求濃度値は小さく、位置ズレ量が小さいほど要求濃度値は大きくなる。従って、重ね打ちされる２つのインクドットの重心点は、凡そ理想着弾位置の重心点に近づく。
【００３３】
図８には、重ね打ちインクドットの各種形態を示す。図８ａは、前記図７と同様に、Ａ列ノズルのインクドットとＢ列ノズルのインクドットとが理想着弾位置を挟んで左右に分離しているものであり、重ね打ちインクドットの重心点は、Ａ列ノズルインクドット又はＢ列ノズルインクドット単体の重心点よりも、理想着弾位置の重心点に近づく。また、図８ｂは、Ａ列ノズルのインクドットとＢ列ノズルのインクドットが理想着弾位置を挟んで上下に分離しているものであり、重ね打ちインクドットの重心点は、Ａ列ノズルインクドット又はＢ列ノズルインクドット単体の重心点よりも、理想着弾位置の重心点に近づく。一方、図８ｃは、Ａ列ノズルのインクドットもＢ列ノズルのインクドットも理想着弾位置に対して同じ方向、図では左下（第３象限）方向にずれているものであり、一見すると、重ね打ちインクドットの重心点は理想着弾位置の重心点に近づいていないように見える。しかしながら、２つのノズルからは、互いに乾燥しないうちにインクドットが重ね打ちされるので、インクの重なり部分を中心としてにじみが生じ、全体としては、僅かながら重心点が理想着弾位置の重心点に近づく。
【００３４】
図９には、インクドットの各種形態を示す。図９ａは、全てのインクドットが理想着弾位置に形成されたもの、図９ｂは、図７ｂのインクドットを、Ａ列、Ｂ列、交互（又は順番）に出力したもの、図９ｃは、本実施形態のインクドットであり、上からＡ列、重ね打ち、Ｂ列、重ね打ち、Ａ列、Ｂ列の順に出力したものである。理想着弾位置には及ばないが、本実施形態のインクドットは全般に重心点が理想着弾位置の重心点に近づいて見える。前述したように、インクジェットプリンタのノズルピッチが１０〜７０μｍであることを考え合わせると、インクドットの出力が乱数的だからこそ、見た目には、それが均一であるかのように映り、隣り合うドット間のスジ、所謂バンディング現象が効果的に低減される。なお、この効果は、重ね打ちインクドットを含めて、種々のインクドットを交互に又は順番に出力する場合にも同様に得られる。では、図９ｂのような場合は、どのように見えるかというと、図から明らかなように隣り合うインクドット間の隙間が大きくなるので、その部分がざらついているような感じ、所謂粒状感が高まる。
【００３５】
このように、本実施形態の印刷用画像処理装置によれば、印刷対象となる画像情報の一画素の一つの色成分を所定の階調で表現するために、印字走査方向上の二以上のノズルで同一の位置に同一の色のインクドットを出力することとしたため、各ノズルのインクドット形成位置のずれを互いに補ってバンディング現象を効果的に低減することができる。
また、印刷対象となる画像情報の一画素の一つの色成分の階調が維持されるように、印字走査方向上の二以上のノズルから出力するインクドットの大きさ又はその大きさに応じた濃度相当のインクドット出力指令値を設定することとしたため、所定範囲の画像データの視覚特性が保持され、印刷された画像情報と入力された画像情報とを整合することができる。
【００３６】
また、同一の位置に同一の色のインクドットを出力する二以上のノズルのインク出力特性を記憶し、その記憶されているインク出力特性に基づいて各ノズルへのインクドット出力指令値を設定することとしたため、各ノズルのインク出力特性を夫々のノズルへのインクドット出力指令値に適正に反映することができ、これにより所定範囲の画像データの視覚特性を保持しながら、バンディング現象を効果的に低減することができる。
【００３７】
また、二以上のノズルから同一の位置に出力される同一の色のインクドットの所定位置からの位置ずれ量をインク出力特性として記憶し、その記憶されている各ノズルのインクドットの所定位置からの位置ずれ量に基づいて各ノズルへのインクドット出力指令値を設定することとしたため、各ノズルのインクドットの所定位置からの位置ずれ量を夫々のノズルへのインクドット出力指令値に適正に反映することができ、これにより所定範囲の画像データの視覚特性を保持しながら、バンディング現象を効果的に低減することができる。
【００３８】
また、印刷対象となる画像情報の一画素の一つの色成分の階調に応じて一つのノズルで該当する色のインクドットを出力することとしたため、印刷対象となる画像情報の一画素の一つの色成分に該当するインクドットを一つのノズルで出力したり、二以上のノズルで出力したりすることにより、夫々のインク出力特性に応じたインクドットをばらつかせ、これにより所定範囲の画像データの視覚特性を保持しながら、バンディング現象を効果的に低減することができる。
【００３９】
また、印刷対象となる画像情報の一画素の一つの色成分に該当するインクドットを一つのノズルで出力する形態と、二以上のノズルで出力する形態とを交互に又は順番に又は乱数的に選択する構成としたため、夫々のインク出力特性に応じたインクドットを効果的にばらつかせ、これにより所定範囲の画像データの視覚特性を保持しながら、バンディング現象を効果的に低減することができる。
【００４０】
なお、前記各実施形態では、一つの色のインクに対してノズルラインが印字走査方向に２列配列されたものについて説明したが、ノズルラインの数はこれに限定されない。例えばノズルラインが４列配列されたものであっても何ら問題ない。
また、前記各実施形態では、一つの色のインクに対してノズルラインが２列配列されたものについて説明したが、本発明の印刷用画像処理装置に適するインクジェットプリンタは、例えばノズルラインの一部がオーバラップし、少なくともその部分では、２つ以上のノズルブロックで同一の位置に同一の色のインクを出力することが可能であれば、そのような部分にのみ適用することも可能である。
【図面の簡単な説明】
【００４１】
【図１】本発明の印刷用画像処理装置の一実施形態を示す印刷システムの構成図である。
【図２】図１のヘッドユニットの詳細図である。
【図３】図２のヘッドユニットにおける「Ａ列」「Ｂ列」の説明図である。
【図４】図１のプリンタ制御部で行われる機能ブロック図である。
【図５】図１の記憶部に記憶されるインク出力特性値の説明図である。
【図６】図４の機能ブロックで行われるサブルーチンを示すフローチャートである。
【図７】インクドットを重ね打ちする説明図である。
【図８】重ね打ちインクドットの各種形態の説明図である。
【図９】インクドットの各種形態の説明図である。
【符号の説明】
【００４２】
１はラインヘッド型プリンタ、２はヘッドユニット（ラインヘッド）、３はプリンタ制御部、４はノズル出力特性記憶部、５はノズル、６はホストコンピュータ
【図１】
2006168241.tif 000003
【図２】
2006168241.tif 000004
【図３】
2006168241.tif 000005
【図４】
2006168241.tif 000006
【図５】
2006168241.tif 000007
【図６】
2006168241.tif 000008
【図７】
2006168241.tif 000009
【図８】
2006168241.tif 000010
【図９】
2006168241.tif 000011